(57)【特許請求の範囲】
【請求項１】
天井（３０）に設置される本体ケース（３１）の内部に、送風機（１９）及び電装品箱（５９）が設けられ、この電装品箱（５９）に前記送風機（１９）を含む電気部品を制御するための制御基板（６０）が収容されている空気調和装置の室内機であって、
前記電装品箱（５９）の下面にメンテナンス用の開口（７２）が設けられ、前記制御基板（６０）における実装面（８０ａ）が斜め下方に向けて配置されるように、当該制御基板（６０）が鉛直方向に対して傾斜して配置され、
前記電装品箱（５９）の内部に端子台（６１）が着脱可能に収容され、
この端子台（６１）が前記制御基板（６０）の高さの範囲内で、当該制御基板（６０）の平面領域に重複して配置されていることを特徴とする空気調和装置の室内機。
【請求項２】
天井（３０）に設置される本体ケース（３１）の内部に、送風機（１９）及び電装品箱（５９）が設けられ、この電装品箱（５９）に前記送風機（１９）を含む電気部品を制御するための制御基板（６０）が収容されている空気調和装置の室内機であって、
前記電装品箱（５９）の下面にメンテナンス用の開口（７２）が設けられ、前記制御基板（６０）における実装面（８０ａ）が斜め下方に向けて配置されるように、当該制御基板（６０）が鉛直方向に対して傾斜して配置され、
前記制御基板（６０）の実装面（８０ａ）における下部側に弱電回路（８０ｂ）が設けられ、上部側に強電回路（８０ｃ）が設けられていることを特徴とする空気調和装置の室内機。
【請求項３】
前記制御基板（６０）の長手方向の寸法は、前記本体ケースの高さ寸法よりも大きい、請求項１又は２に記載の空気調和装置の室内機。
【請求項４】
前記制御基板（６０）は、少なくとも１辺において前記電装品箱（５９）にねじ固定され、他の少なくとも２辺において前記電装品箱（５９）に係止している、請求項１〜３のいずれか１項に記載の空気調和装置の室内機。
【発明の詳細な説明】
【技術分野】
【０００１】
本発明は、空気調和装置の室内機に関する。
【背景技術】
【０００２】
下記特許文献１には、天井内に収容される天井埋込式の室内機を備えた空気調和装置が開示されている。この室内機は、箱型の本体ケースの下面に化粧パネルを備え、この化粧パネルに空気の吸込口と吹出口とが設けられている。本体ケースの内部は、仕切り板によって機械室と熱交換室とに区画され、機械室には送風機ユニットが配置され、熱交換室には熱交換器、ドレンパン、ドレンポンプ等が配置されている。そして、送風機ユニットによって吸込口から吸い込まれた空気は、熱交換器との間で熱交換された後に吹出口から吹き出され、室内の温度や湿度を調整する。
【０００３】
また、本体ケース内における機械室には、送風機ユニットやドレンポンプ等の電気部品を制御する制御基板や端子台等を収容した電装品箱が設けられている。
【先行技術文献】
【特許文献】
【０００４】
【特許文献１】特開２００６−９７９９５号
【発明の概要】
【発明が解決しようとする課題】
【０００５】
天井埋込型の室内機における本体ケースは、天井内の狭い空間に配置されるため、できるだけ薄型化することが望まれている。また、天井埋込型に限らず、天井下面に設置される室内機も薄型化が望まれている。
特許文献１記載の室内機においては、電装品ボックス内の制御基板と端子台とが横に並べて配置されるとともに、制御基板がその長辺を横向き（水平）にした状態で配置されている。そのため、電装品ボックスの高さ寸法を小さくすることができ、本体ケースの薄型化に寄与している。
【０００６】
しかし、上記のような制御基板の配置では、電装品ボックスの横方向寸法が大きくなるので、電装品ボックスの長手方向を本体ケースの長手方向に沿わせた状態で、送風機ユニットと本体ケースの後壁との前後方向の間に電装品ボックスを配置せざるを得なかった。そのため、本体ケースを薄型化することができても奥行き（前後方向）寸法が大きくなるという弊害があった。
【０００７】
本発明は、制御基板の長辺を水平に配置しなくても電装品箱の高さ寸法を小さくすることができ、本体ケースの薄型化を図ることができる空気調和装置の室内機を提供することを目的とする。
【課題を解決するための手段】
【０００８】
本発明は、天井に設置される本体ケースの内部に、送風機及び電装品箱が設けられ、この電装品箱に前記送風機を含む電気部品を制御するための制御基板が収容されている空気調和装置の室内機であって、
前記電装品箱の下面にメンテナンス用の開口が設けられ、前記制御基板における実装面が斜め下方に向けて配置されるように、当該制御基板が鉛直方向に対して傾斜して配置され、
前記電装品箱の内部に端子台が着脱可能に収容され、
この端子台が前記制御基板の高さの範囲内で、当該制御基板の平面領域に重複して配置されていることを特徴とする。
【０００９】
この構成によれば、制御基板の長辺を横向き（水平）に配置しなくても、制御基板の高さ寸法を可及的に小さくすることができる。そのため、この制御基板が収容される電装品箱の高さ寸法も小さくし、本体ケースの薄型化を図ることができる。また、制御基板の長辺を横向きにしなくてもよいので、電装品箱の横方向寸法も小さくすることが可能となり、電装品箱の配置箇所の自由度を高めることができる。さらに、制御基板の実装面が斜め下方に向けて配置されているので、開口を介して制御基板の点検等を容易に行うことができる。
また、前記電装品箱の内部に端子台が着脱可能に収容され、この端子台が前記制御基板の高さの範囲内で、当該制御基板の平面領域に重複して配置されているので、制御基板と端子台とをコンパクトに配置し、電装品箱を小型化することができる。
【００１０】
前記制御基板の長手方向の寸法は、前記本体ケースの高さ寸法よりも大きくてもよい。
このように制御基板の長手方向寸法が本体ケースの高さ寸法より大きくても、制御基板を鉛直方向に対して傾斜して配置することで、制御基板の長辺を縦向き（水平に対して交差する方向）に配置した状態で本体ケース内に適切に制御基板を収めることができる。
【００１２】
本発明は、天井に設置される本体ケースの内部に、送風機及び電装品箱が設けられ、この電装品箱に前記送風機を含む電気部品を制御するための制御基板が収容されている空気調和装置の室内機であって、
前記電装品箱の下面にメンテナンス用の開口が設けられ、前記制御基板における実装面が斜め下方に向けて配置されるように、当該制御基板が鉛直方向に対して傾斜して配置され、
前記制御基板の実装面における下部側に弱電回路が設けられ、上部側に強電回路が設けられていることを特徴とする。
この構成によれば、制御基板の長辺を横向き（水平）に配置しなくても、制御基板の高さ寸法を可及的に小さくすることができる。そのため、この制御基板が収容される電装品箱の高さ寸法も小さくし、本体ケースの薄型化を図ることができる。また、制御基板の長辺を横向きにしなくてもよいので、電装品箱の横方向寸法も小さくすることが可能となり、電装品箱の配置箇所の自由度を高めることができる。さらに、制御基板の実装面が斜め下方に向けて配置されているので、開口を介して制御基板の点検等を容易に行うことができる。
また、一般に、動作電圧が低い電気部品（弱電部品）ほどメンテナンス頻度が高く、動作電圧が高い電気部品（強電部品）ほどメンテナンス頻度が低い場合が多いので、弱電部品を制御する弱電回路をメンテナンス用の開口に近い下部側に実装することによって、メンテナンス性を向上させることができる。
【００１３】
前記制御基板は、少なくとも１辺において前記電装品箱にねじ固定され、他の少なくとも２辺において前記電装品箱に係止していることが好ましい。
このような構成によって、制御基板の板面に垂直な方向の振動が付与されたときに制御基板が電装品箱に対して浮き上がるのを防止することができる。
【発明の効果】
【００１４】
本発明によれば、制御基板の長辺を横向きに配置しなくても電装品箱の高さ寸法を小さくすることができ、この電装品箱が設けられる本体ケースの薄型化を図ることができる。
【図面の簡単な説明】
【００１５】
【図１】本発明の一実施の形態における空気調和装置の構成図である。
【図２】空気調和装置の室内機を示す側面断面図（図３のＡ−Ａ矢視断面図）である。
【図３】室内機の平面説明図である。
【図４】室内機の正面図である。
【図５】室内機の底面図である。
【図６】室内機の側面断面図（図３のＢ−Ｂ矢視断面図）である。
【図７】電装品ユニットの側面図である。
【図８】電装品ユニットの底面図である。
【図９】電装品ユニットの側面断面図である。
【図１０】端子台の取付構造を示す断面図である。
【図１１】制御基板の下部側の取付構造を示す斜視図である。
【図１２】制御基板の上部側の取付構造を示す斜視図である。
【発明を実施するための形態】
【００１６】
以下、図面を参照して本発明の実施の形態を説明する。
図１は、本発明の一実施の形態における空気調和装置の構成図である。この空気調和装置１０は、室内機（利用側ユニット）１１と室外機（熱源側ユニット）１２とを備えている。
室外機１２には、圧縮機１４、四路切換弁１８、室外熱交換器１５、室外膨張弁１６等が設けられ、これらは冷媒配管２５によって接続されている。また、室外機１２には、室外送風ファン２０が設けられている。
【００１７】
室外機１２の内部冷媒回路の端末部には、ガス側閉鎖弁２２と液側閉鎖弁２３とが設けられている。ガス側閉鎖弁２２は四路切換弁１８側に配置されており、液側閉鎖弁２３は室外膨張弁１６側に配置されている。
室内機１１には、室内膨張弁２８及び室内熱交換器１３等が設けられている。ガス側閉鎖弁２２と室内熱交換器１３とはガス側冷媒連絡配管２４により接続され、液側閉鎖弁２３と室内膨張弁２８とは液側冷媒連絡配管２６により接続されている。
【００１８】
上記構成の空気調和装置１０において、冷房運転を行う場合には、四路切換弁１８が図１において実線で示す状態に保持される。そして、実線矢印で示すように、圧縮機１４から吐出された高温高圧のガス状冷媒は、四路切換弁１８を経て室外熱交換器１５に流入し、室外送風ファン２０の作動により室外空気と熱交換して凝縮・液化する。液化した冷媒は、ほぼ全開状態の室外膨張弁１６を通過し、液側冷媒連絡配管２６を通って室内機１１に流入する。室内機１１において、冷媒は、室内膨張弁２８で所定の低圧に減圧され、さらに室内熱交換器１３で室内空気と熱交換して蒸発する。そして、冷媒の蒸発によって冷却された室内空気は室内送風ファン１９によって室内に吹き出され、当該室内を冷房する。また、室内熱交換器１３で蒸発して気化した冷媒は、ガス側冷媒連絡配管２４を通って室外機１２に戻り、四路切換弁１８を経て圧縮機１４に吸い込まれる。
【００１９】
他方、暖房運転を行う場合には、四路切換弁１８が図１において破線で示す状態に保持される。そして、点線矢印で示すように、圧縮機１４から吐出された高温高圧のガス状冷媒は、四路切換弁１８を経て室内機１１の室内熱交換器１３に流入し、室内空気と熱交換して凝縮・液化する。冷媒の凝縮によって加熱された室内空気は、室内送風ファン１９によって室内に吹き出され、当該室内を暖房する。室内熱交換器１３において液化した冷媒は、ほぼ全開状態の室内膨張弁２８から液側冷媒連絡配管２６を通って室外機１２に戻る。室外機１２に戻った冷媒は、室外膨張弁１６で所定の低圧に減圧され、室外熱交換器１５において室外空気と熱交換して蒸発する。そして、室外熱交換器１５で蒸発して気化した冷媒は、四路切換弁１８を経て圧縮機１４に吸い込まれる。
【００２０】
図２は、空気調和装置１０の室内機１１を示す側面断面図（図３のＡ−Ａ矢視断面図）、図３は、室内機１１の平面断面図、図４は、室内機１１の正面図、図５は、室内機１１の底面図である。
室内機１１は、室内の天井裏等に設置される天井埋込型の室内機であり、本体ケース３１、化粧パネル３２、室内送風ファン１９、室内熱交換器１３、ドレンパン３３等を備えている。
【００２１】
本体ケース３１は、平面視で四角形状の上壁部３５と、この上壁部３５の４辺から下方に垂下された４枚の周壁部（前壁部３６、後壁部３７、左壁部３８、右壁部３９）とから下方に開放した箱形状に形成されている。そして、本体ケース３１における下端の開口部に化粧パネル３２が取り付けられている。本体ケース３１は、図４に示されるように、天井３０の上方にある上階床の下面等に吊りボルト４０を介して吊り下げられ、化粧パネル３２は、天井３０の下面に沿って配置されている。
【００２２】
図２及び図３に示されるように、本体ケース３１の内部は、仕切り板４２によって送風機室４３と熱交換室４４とに区画されている。本明細書においては、送風機室４３側を後側、熱交換室４４側を前側とする。
化粧パネル３２は、送風機室４３の下方に吸込口４５を備え、熱交換室４４の前部側の下方に吹出口４６を備えている。吸込口４５には格子状のグリル４７が取り付けられ、吹出口４６には、空気の吹出方向を調整する導風板４８が揺動可能に設けられている。
【００２３】
図３に示されるように、送風機室４３には、２台の室内送風ファン１９が左右方向に間隔をあけて配置されている。２台の室内送風ファン１９の間には電動モータ５０が配置され、この電動モータ５０によって両室内送風ファン１９が駆動される。本実施の形態の室内送風ファン１９は、図２に示されるように、略円筒形状のケーシング１９ａと、このケーシング１９ａ内に設けられた羽根車１９ｂとからなるシロッコファンである。ケーシング１９ａの側面には吸込口１９ａ１が形成され、ケーシング１９ａの前部には吐出口１９ａ２が前方に向けて突出されている。吐出口１９ａ２は、仕切り板４２に形成された開口にシールされた状態で挿入されている。
【００２４】
室内送風ファン１９が作動すると、室内の空気は吸込口４５から送風機室４３内に取り入れられ、ケーシング１９ａの吸込口１９ａ１に吸い込まれた後、吐出口１９ａ２から熱交換室４４に吹き出される。したがって、送風機室４３内の空間は、室内送風ファン１９によって空気が吸い込まれる吸込空間とされ、熱交換室４４の空間は、室内送風ファン１９によって空気が吹き出される吹出空間とされる。
【００２５】
熱交換室４４には、室内熱交換器１３が配置されている。室内熱交換器１３は、例えば、左右方向に所定間隔で並べて配置された多数のフィンと、このフィンを貫通するように設けられた伝熱管とを含むクロスフィン型のフィンアンドチューブ式熱交換器とされる。この室内熱交換器１３は、上部が前側（吹出口４６側；空気流の下流側）に位置し、かつ下部が後側（室内送風ファン１９側；空気流の上流側）に位置するように傾斜して配置されている。そして、室内送風ファン１９から熱交換室４４に吹き出された空気は、室内熱交換器１３との間で熱交換され、その後に吹出口４６から室内に吹き出される。なお、室内熱交換器１３の下方には、ドレンパン３３が設けられ、室内熱交換器１３で発生した結露水がドレンパン３３によって受け止められるようになっている。
【００２６】
ドレンパン３３は、発泡スチロール等の断熱性の高い材料によって形成されており、断熱材としても機能している。また、図１及び図３に示されるように、熱交換室４４における本体ケース３１の上壁部３５、前壁部３６、左右壁部３８，３９の内面には、それぞれ発泡スチロール等からなる断熱材５４〜５７が設けられている。
【００２７】
図６は、室内機の側面断面図（図３のＢ−Ｂ矢視断面図）である。図３及び図６に示されるように、送風機室４３の右端部には電装品ユニット５８が配置されている。この電装品ユニット５８は、電装品箱５９と、この電装品箱５９に収容された制御基板６０や端子台６１等からなる。また、熱交換室４４の右端部には、室内熱交換器１３に接続される分流器やヘッダ等の配管群６２や、ドレンポンプ６３、室内膨張弁２８、サーミスタ等の電気部品が配置されている。そして、これらの電気部品の電気配線６４は、熱交換室４４から仕切り板４２を通して電装品ユニット５８に接続されている。
【００２８】
図６に示されるように、ドレンポンプ６３は、内蔵されたモータ（アクチュエータ）が作動することによって、ドレンパン３３に貯留された結露水を外部へ排出するものである。ドレンポンプ６３は、取付台（取付部材）６６を介して本体ケース３１の上壁部３５に取付固定されている。また、取付台６６には、フロートセンサ６５も取り付けられている。ドレンポンプ６３及びフロートセンサ６５は、連結枠６７によって１ユニットとして組み立てられている。
【００２９】
取付台６６は、前後の脚板６９と、両脚板６９の下端部同士を接続する台板７０とから側面視でコの字形状に形成されている。脚板６９の上端部には、略直角に屈曲された固定片７１が設けられ、この固定片７１が上壁部３５に固定されている。
連結枠６７には、室内膨張弁２８の電気配線６４や、サーミスタの電気配線等をガイドするガイド爪６８が一体に形成されている。このガイド爪６８によって、電気配線６４がドレンパン３３側へ垂れ下がらないように支持されている。
【００３０】
図７は、電装品ユニットの側面図、図８は、電装品ユニットの底面図、図９は、電装品ユニットの側面断面図である。なお、図７〜図８には、図２〜図６に付した「前」「後」の記載に対応して「前」「後」を付している。
電装品ユニット５８の電装品箱５９は、その下面と一側面（送風ファン１９側の側面）とにメンテナンス用の開口７２が形成されている。そして、この開口７２は、略Ｌ字形状に屈曲した蓋体７３によって閉鎖される。この蓋体７３は、電装品箱５９の下面に設けられた雌ねじ孔５９ａに螺合されるねじ（図示省略）によって着脱自在に取り付けられる。
【００３１】
電装品箱５９は、図６にも示されるように、仕切り板４２に対向する前壁７４の上部７４ａ側が仕切り板４２の後方に間隔をあけて略平行に配置され、下部７４ｂ側が仕切り板４２に接近した位置に略平行に配置されている。前壁７４の上部７４ａと下部７４ｂとの間は、前下がり状に傾斜する傾斜部７４ｃとされている。このような前壁７４の形状によって、電装品箱５９の前部には、後方へ凹む凹所７５が形成されている。
【００３２】
図７〜図９に示されるように、電装品箱５９の内部には、制御基板６０と端子台６１とが設けられている。制御基板６０は、室内機１１内の電気部品、例えば、送風ファン１９（モータ５０）、ドレンポンプ６３、フロートセンサ６５、室内膨張弁２８等（図３及び図５参照）の動作を制御するためのものであり、各電気部品の電気配線が接続されている。また、端子台６１には、外部から室内機１１内に引き込まれた電気配線が接続される。
【００３３】
制御基板６０は、実質的な電気回路を構成する基板本体８０と、この基板本体８０を保護するケース８１とから構成されたユニット部品とされている。基板本体８０は、合成樹脂材からなる長方形状の絶縁板に導電体からなる回路配線を設け、各種電子部品を実装したプリント基板等からなる。ケース８１は、合成樹脂等の絶縁体からなり、基板本体８０の実装面（表面）８０ａを除く裏面及び外周面を覆う長方形状の薄型のトレーにより構成されている。
【００３４】
制御基板６０は、鉛直方向（上下方向）に対して傾斜した姿勢で電装品箱５９に取り付けられている。具体的に、制御基板６０は、長方形の短辺６０ａが左右水平方向に沿い、長辺６０ｂが前後方向及び上下方向に対して斜めに配置されている。また、基板本体８０の実装面８０ａは、後斜め下方に向いている。制御基板６０は、電装品箱５９の後上部の角部と前下部の角部とを結ぶほぼ対角線上に配置されている。制御基板６０の背面（上面）は、電装品箱５９における傾斜部７４ｃの下面に沿って配置されている。制御基板６０の傾斜角度は、例えば、水平面に対して３０°〜５０°とすることができ、好ましくは、約４０°とすることができる。
【００３５】
図１１は、制御基板６０の下部側の取付構造を示す斜視図、図１２は、制御基板６０の上部側の取付構造を示す斜視図である。
制御基板６０のケース８１には、複数の係止片８２，８３が設けられている。具体的には、ケース８１の一側辺の下部側には、略Ｌ字状に屈曲した側部係止片８２が設けられている。また、ケース８１の上辺には２個の上部係止片８３が設けられている。これに対して、電装品箱５９における傾斜部７４ｃには、側部係止片８２が係止可能な側部係止孔８４が形成され、電装品箱５９の上部における後端部には、上部係止片８３が係止可能な上部係止孔８５が形成されている。
【００３６】
側部係止孔８４は、側部係止片８２よりも前後方向に長く形成されており、側部係止孔８４に係止した状態で前後に移動可能となっている。したがって、側部係止片８２を側部係止孔８４に係止させた状態で制御基板６０を傾斜部７４ｃに沿って斜め上方へスライドさせ、上部係止孔８５に上部係止片８３を係止させることができる。また、側部係止片８２とは反対側のケース８１の他側辺には、ねじ挿通孔８６ａが形成された取付片８６が突設され、電装品箱５９の傾斜部７４ｃには、雌ねじ孔８７が形成されている。そして、電装品箱５９の各係止孔８４，８５にケース８１の各係止片８２，８３を係止させた状態でねじ挿通孔８６ａに挿通したねじ８８を雌ねじ孔８７に螺合することによって、制御基板６０が電装品箱５９に取り付けられる。
【００３７】
このように制御基板６０の２辺が電装品箱５９に係止され、他の１辺がねじ８８によって電装品箱５９に固定されることによって、下辺を除く３辺で制御基板６０が電装品箱５９に支持される。そのため、制御基板６０に垂直な方向に関して安定して制御基板６０を支持することができ、振動等によって制御基板６０が電装品箱５９から浮き上がってしまうのを防止することができる。また、１本のねじ８８を取り外すことによって、簡単に電装品箱５９から制御基板６０を取り外すことができる。
【００３８】
以上のように、本実施の形態では、制御基板６０が鉛直方向に対して傾斜して配置されているので、制御基板６０が鉛直方向に対して平行に配置される場合に比べて、電装品箱５９の高さ寸法を小さくすることができ、この電装品箱５９を収容する本体ケース３１の薄型化を図ることができる。
また、本実施の形態では、制御基板６０が鉛直方向に対して垂直に配置（前後水平方向に配置）される場合に比べて、電装品箱５９の前後方向の幅を小さくすることができる。さらに、制御基板６０は、その短辺６０ａが左右方向に向けて配置されているので、電装品箱５９の左右方向の幅も小さくすることができる。
【００３９】
したがって、本実施の形態では、電装品箱５９の上下、前後、及び左右の寸法をバランスよく小さくすることができ、電装品箱５９の配置の自由度を高めることができる。具体的に、本実施の形態では、電装品箱５９を、送風機室４３の左右方向端部に形成された空所３１ａ（図３参照）に対して好適に収めることができる。このような電装品箱５９の配置によって、本体ケース３１の前後方向（奥行き）の寸法が拡大することもない。
【００４０】
制御基板６０は、基板本体８０の実装面８０ａが後斜め下方に向けて配置されているので、電装品箱５９の下面のメンテナンス用の開口７２を介して容易に点検や操作（電気配線の着脱等）を行うことができる。
図９に示されるように、制御基板６０における基板本体８０には、電装品箱５９の開口７２に近い下部側に、低電圧（例えば５０Ｖ未満（２０Ｖ等））で作動する電気部品を駆動制御するための弱電回路８０ｂが設けられ、基板本体８０の上部側に、高電圧（例えば５０Ｖ以上（２００Ｖ等））で作動する電気部品を駆動制御するための強電回路８０ｃが設けられている。例えば、ドレンポンプ６３や室内膨張弁２８等は弱電回路８０ｂによって駆動制御され、送風ファン１９は強電回路８０ｃによって駆動制御される。また、フロートセンサ６５やサーミスタ、リモコン等の電気配線（信号線）も弱電回路８０ｂに接続されている。
【００４１】
実装面８０ａの最下部には、複数の接続口（コネクタ）８０ｄが設けられ、この接続口８０ｄに、熱交換室４４内のドレンポンプ６３、フロートセンサ６５、サーミスタ、室内膨張弁２８等の電気配線が着脱可能に接続される。また、電装品箱５９の側面には、電気配線を引き込むための引込口５９ｄが複数設けられている。
【００４２】
一般に、室内膨張弁２８等の動作電圧が低い機器やセンサ等の弱電部品は、部品交換等のメンテナンスの頻度が高く、これに対して、送風ファン１９等の動作電圧が高い強電部品は、弱電部品と比較してメンテナンスの頻度が低い場合が多い。そのため、本実施の形態のように、弱電部品を駆動制御する弱電回路８０ｂをメンテナンス用の開口７２に近い実装面８０ａの下部側に実装することによって、メンテナンス性を向上させることができる。一方、強電回路８０ｃは、実装面８０ａの上部側に設けられるので、弱電回路８０ｂのメンテナンスの最中等に作業者の手や異物等が触れてしまうのを防止することができる。
【００４３】
また、図９に示されるように、電装品箱５９の内部において、制御基板６０における弱電回路８０ｂの背面側（上方）は、傾斜部７４ｃに接した状態で支持されているが、強電回路８０ｂの背面側（上方）は空間５９ｃとされている。そのため、強電回路８０ｂにおいて生じた熱が電装品箱５９内でこもり難くなり、制御基板６０への熱影響を少なくすることができる。
【００４４】
図１０は、端子台６１の取付構造を示す断面図である。
図７、図９、及び図１０に示されるように、電装品箱５９の一側壁には、取付ブラケット９０を介して端子台６１が取り付けられている。取付ブラケット９０は、上側脚部９０ａと、下側脚部９０ｂと、両脚部の間に設けられた台板部９０ｃとからなる。上側脚部９０ａは、電装品箱５９の側壁の一部を切り起こすことによって形成された引っ掛け部５９ｂに係止されている。下側脚部９０ｂには、ねじ挿通孔９０ｄが形成され、このねじ挿通孔９０ｄに挿通されたねじ９１を電装品箱５９の側壁に形成された雌ねじ孔５９ｃに螺合することによって下側脚部９０ｂが固定されている。台板部９０ｃは、左右方法の斜め下方に向けて配置され、その表面に端子台６１がねじ等によって固定される。
【００４５】
端子台６１は、図７に示されるように、制御基板６０の高さの範囲内に配置され、図８に示されるように、制御基板６０の前後方向及び左右方向の範囲内（平面領域内）に配置されている。したがって、電装品箱５９内に制御基板６０と端子台６１とをコンパクトに配置することができる。
また、端子台６１は、ねじ９１を取り外すことによって取付ブラケット９０ごと電装品箱５９から取り外すことができる。そのため、制御基板６０のメンテナンス等を行う場合には、取付ブラケット９０ごと端子台６１を取り外すことによって当該端子台６１が邪魔になるのを防止することができる。また、取付ブラケット９０は、下側脚部９０ｂのみがねじ９１で固定され、上側脚部９０ａは電装品箱５９に係止しているだけであるので、電装品箱５９から簡単且つ迅速に取り外すことができる。
【００４６】
本発明は、上記実施の形態に限定されず、特許請求の範囲に記載された発明の範囲内において適宜変更することができる。
例えば、電装品箱５９内の制御基板６０は、ケース８１を備えず、基板本体８０のみによって構成されていてもよい。また、制御基板６０は、実装面８０ａが後斜め下方に向けて配置されているが、前斜め下方又は左又は右斜め下方に向けて配置されていてもよい。制御基板６０は、電装品箱５９に対して２本以上のねじで固定されていてもよい。
【００４７】
端子台６１は、その全体が制御基板６０の平面領域内に配置されていなくてもよく、少なくとも一部が当該平面領域内に配置（重複）していればよい。
本発明は、天井埋込式の室内機１１だけでなく、天井吊り型の室内機にも適用することができる。
【符号の説明】
【００４８】
１０      ：空気調和装置
１１      ：室内機
１９      ：室内送風ファン
２８      ：室内膨張弁
３０      ：天井
３１      ：本体ケース
５０      ：送風ファンのモータ
５８      ：電装品ユニット
５９      ：電装品箱
６０      ：制御基板
６１      ：端子台
６４      ：電気配線
６５      ：フロートセンサ
７２      ：メンテナンス用の開口
８０      ：基板本体
８０ａ    ：実装面
８０ｂ    ：弱電回路
８０ｃ    ：強電回路
８１      ：ケース
８２      ：側部係止片
８３      ：上部係止片
８４      ：側部係止孔
８５      ：上部係止孔
【図１】
0005464225.tif 000002
【図２】
0005464225.tif 000003
【図３】
0005464225.tif 000004
【図４】
0005464225.tif 000005
【図５】
0005464225.tif 000006
【図６】
0005464225.tif 000007
【図７】
0005464225.tif 000008
【図８】
0005464225.tif 000009
【図９】
0005464225.tif 000010
【図１０】
0005464225.tif 000011
【図１１】
0005464225.tif 000012
【図１２】
0005464225.tif 000013